(57)【要約】【課題】シリンダボアが形成されたシリンダブロック上にシリンダボアの周縁に沿うようにシリンダヘッドガスケットを介在させてシリンダヘッドをボルト締結にて組付固定した場合に、そのボルト締結に伴う荷重負荷がシリンダブロックに加わっても、シリンダボアの真円度を良好に確保することができるホーニング加工方法及び装置を提供する。【解決手段】台座３３上にシリンダライナ部２４が載置された内周ブロック１２のアッパデッキ部１９上にダミーヘッド４１を凸形状の押圧部４６がシリンダボア１１の周縁部分に当接するように載置する。そのダミーヘッド４１をボルト１６にて内周ブロック１２に締付け固定すると共に、シリンダライナ部２４の外周面２５を油圧シリンダ３４のピストン３８が支持面４０を面接触させて径方向内側へ押圧支持した状態とする。その状態において、シリンダボア１１の内周面１１ａを砥石４９で真円形状にホーニング加工する。【選択図】      図３
2005199378.tif 000002
【特許請求の範囲】
【請求項１】
シリンダブロックに形成されたシリンダボアの内周面にホーニング加工を行うに際して、前記シリンダブロック上にシリンダヘッドがシリンダヘッドガスケットをシリンダボアの周縁に沿うように介在させた状態でボルト締結により組付固定された際に前記シリンダブロックの上端面に加わる荷重相当の押圧負荷をホーニング加工位置に配置した前記シリンダブロックの上端面に加えた状態とし、その状態においてシリンダボアの内周面全域を当該シリンダボアの断面形状が真円形状となるようにホーニング加工するシリンダボア内周面のホーニング加工方法。
【請求項２】
前記ホーニング加工を行うに際しては、前記シリンダブロックにおいてシリンダボアの周壁となるシリンダライナ部の外周面を径方向内側への押圧負荷を伴って支持するようにした請求項１に記載のシリンダボア内周面のホーニング加工方法。
【請求項３】
シリンダブロックに形成されたシリンダボアの内周面をホーニング加工するシリンダボア内周面のホーニング加工装置において、
前記シリンダブロック上にシリンダヘッドがシリンダヘッドガスケットをシリンダボアの周縁に沿うように介在させた状態でボルト締結により組付固定された際に前記シリンダブロックの上端面に加わる荷重相当の押圧負荷をホーニング加工位置に配置した前記シリンダブロックの上端面に加えるための押圧負荷手段と、
前記押圧負荷手段によりシリンダブロックの上端面に前記押圧負荷が加えられた状態においてシリンダボアの内周面全域を当該シリンダボアの断面形状が真円形状となるようにホーニング加工するホーニング手段と
を備えたシリンダボア内周面のホーニング加工装置。
【請求項４】
前記押圧負荷手段は、断面形状が前記シリンダヘッドガスケットに相当する凸形状の押圧部を有する押圧負荷部材と、当該押圧負荷部材を前記押圧部がシリンダブロックの上端面のうちシリンダボアの周縁部分に当接してシリンダブロックの上端面に前記荷重相当の押圧負荷を加えた状態に保持するための押圧負荷状態保持部材とを備えている請求項３に記載のシリンダボア内周面のホーニング加工装置。
【請求項５】
前記シリンダブロックにおいてシリンダボアの周壁となるシリンダライナ部の外周面を径方向内側への押圧負荷を伴って押圧支持するための押圧支持手段を更に備えた請求項３又は請求項４に記載のシリンダボア内周面のホーニング加工装置。
【請求項６】
前記押圧支持手段は、前記押圧負荷手段により上端面に前記押圧負荷が加えられた状態にあるシリンダブロックにおけるシリンダライナ部の外周面に対応した面形状の支持面を有する押圧支持部材と、当該押圧支持部材を前記支持面がシリンダライナ部の外周面に面接触して当該シリンダライナ部の外周面を径方向内側へ押圧支持した状態に保持するための押圧支持状態保持部材とを備えている請求項５に記載のシリンダボア内周面のホーニング加工装置。
【請求項７】
前記シリンダブロックは、シリンダヘッドを載置支持するためのアッパデッキ部が形成された内周ブロックと、当該内周ブロックが上方から挿入組み付けされるシリンダ外壁部が形成された外周ブロックとに分割されており、ホーニング加工時には、内周ブロックのみが前記ホーニング加工位置に配置される請求項３〜請求項６のうち何れか一項に記載のシリンダボア内周面のホーニング加工装置。
【発明の詳細な説明】
【技術分野】
【０００１】
本発明は、シリンダボア内周面のホーニング加工方法、及びシリンダボア内周面のホーニング加工装置に関する。
【背景技術】
【０００２】
一般に、シリンダブロックに形成されるシリンダボアは、その真円度の精度を高めるために、砥石を環状に配置したホーニング加工装置により、その内周面がホーニング加工される。そして、そのようにシリンダボアの内周面がホーニング加工された後、そのシリンダブロック上にはシリンダヘッドがシール部材の一種であるシリンダヘッドガスケットを介在させた状態でボルト締結により組付固定される。ところで、近時はシリンダブロックの軽量化を図るべく、シリンダボアの周壁（即ち、シリンダブロックにおけるシリンダライナ部）が、その肉厚を薄く形成される傾向にある。
【０００３】
そのため、ホーニング加工によってシリンダボアの内周面の真円度を事前に高めたとしても、そのシリンダブロック上にシリンダヘッドをボルト締結により組付固定した際には、シリンダボアの真円度が低下することがあった。即ち、ボルト締結に伴う荷重負荷によりシリンダブロック（特に、シリンダライナ部）に応力の偏りが発生し、それがためにシリンダボアが非真円形状に変形してしまうという問題があった。そこで、このような問題に対処すべく、近時、例えば特許文献１〜特許文献３に記載されるように、ボルト締結によりシリンダヘッドをシリンダブロック上に組付固定した場合に生ずるシリンダボアの変形を予め考慮したシリンダボア内周面のホーニング加工技術が提案されている。
【０００４】
まず、特許文献１に記載のホーニング加工技術では、シリンダブロックにおけるシリンダライナ部の上端部に対して荷重負荷機構がシリンダボアの中心に向けた荷重を負荷し、その荷重負荷によりシリンダライナ部に変形を生じさせた状態において、シリンダボアの内周面を真円形状にホーニング加工するようにしている。そして、そのホーニング加工後において、前記荷重負荷が解除された際には、真円形状にホーニング加工されたシリンダボアが荷重負荷解除に伴う復元作用で非真円形状に変形するようにしている。そのため、このようなホーニング加工がなされた後のシリンダブロック上にシリンダヘッドを実際にボルト締結により組付固定した際には、その際のボルト締結に基づく荷重負荷でシリンダライナ部に変形が生じ、このシリンダライナ部の変形に追随してシリンダボアも前記非真円形状から真円形状となるように変形することになる。
【０００５】
次に、特許文献２に記載のホーニング加工技術では、上記特許文献１に記載のホーニング加工技術の場合とは逆に、ホーニング加工時にはシリンダボアの内周面を真円形状ではなく非真円形状に加工するようにしている。即ち、この特許文献２のホーニング加工技術では、予めシリンダブロック上にシリンダヘッドを実際にボルト締結により組付固定し、そのボルト締結に基づき非真円形状に変形したシリンダボアの真円度に対する誤差曲線を測定している。そして、前記シリンダヘッドを取り外した後のシリンダブロックのシリンダボアの内周面に対して、前記誤差曲線から求めた制御データに基づきホーニング手段となる砥石の径方向の動きを制御し、ホーニング加工後にはシリンダボアの内周面がシリンダヘッドの組付固定前において非真円形状となるようにしている。
【０００６】
また、特許文献３に記載のホーニング加工技術では、上面側にウォータージャケットが開口されずに閉塞された所謂クローズデッキ構造のシリンダブロックの上端面にシリンダヘッドを模擬したダミーヘッドをボルト締結により組付固定するようにしている。即ち、ダミーヘッドの組付固定により、実際にシリンダヘッドがボルト締結により組付固定された場合を模擬した状態を作りだし、その模擬状態においてシリンダボアの内周面を真円形状にホーニング加工するようにしている。そのため、この特許文献３のホーニング加工技術の場合も、上記特許文献１のホーニング加工技術の場合と同様に、そのホーニング加工後に前記ダミーヘッドを取り外した際には、真円形状にホーニング加工されたシリンダボアが荷重負荷解除に伴う復元作用で非真円形状に変形することになる。そして、そのようにホーニング加工された後のシリンダブロック上にシリンダヘッドを実際にボルト締結により組付固定した際には、その際のボルト締結による荷重負荷に基づきシリンダライナ部が変形するため、シリンダボアは、非真円形状から真円形状となるように変形することになる。
【特許文献１】特開２０００−２７１８５３号公報（請求項１、図１）
【特許文献２】特開２０００−２９１４８７号公報（請求項５、図５）
【特許文献３】特開平３−２６４６０号公報（特許請求の範囲第１項、図１）
【発明の開示】
【発明が解決しようとする課題】
【０００７】
ところが、上記の特許文献１〜３の各ホーニング加工技術では、いずれも、実際にシリンダヘッドをシリンダブロック上にボルト締結により組付固定した場合にシリンダボアが所望どおりの真円形状にならないという問題があった。即ち、シリンダヘッドをシリンダブロック上へ実際にボルト締結により組付固定する際には、通常、シリンダヘッドとシリンダブロックとの間にシリンダボアの周縁に沿うようにシリンダヘッドガスケット（シール部材）が介在される。そのため、実際のシリンダヘッドの組付固定時には、シリンダボアの周縁部分に前記シリンダヘッドガスケットからの面圧が加わってシリンダボアの変形度合いも大きくなるところ、特許文献１〜３の各ホーニング加工技術では、このシリンダヘッドガスケットからの面圧によるシリンダボアの変形量が全く考慮されていなかった。従って、上述したように、特許文献１〜３の各ホーニング加工技術では、実際のシリンダヘッドの組付固定時におけるボルト締結に基づいた荷重負荷でシリンダボアが非真円形状から変形した場合でも所望どおりの真円形状になることはなかった。
【０００８】
加えて、特許文献１のホーニング加工技術は、シリンダライナ部の上端部外周面に押圧片を当接係合させる荷重負荷機構により径方向内側への荷重を負荷するものであるため、必ずしもシリンダボアの内周面全域に亘る真円度（特にシリンダライナ部の下端部における真円度）を向上させるものとはなっていなかった。
【０００９】
また、特許文献２のホーニング加工技術の場合は、ホーニング加工装置における砥石の動きを、前記誤差曲線から求められる補正量に応じて数十μｍ単位に制御する必要がある上に、経時的な砥石の摩耗具合をも加味して制御しなければならず、砥石動作制御のための構成が複雑化し、装置コストが増大してしまうという問題があった。
【００１０】
また、特許文献３のホーニング加工技術の場合も、シリンダボアの周壁を構成するシリンダライナ部と当該シリンダライナ部の外周側に位置するシリンダ外壁部とが一体化されたシリンダブロックのシリンダボア内周面をホーニング加工する技術であるため、ホーニング加工装置が大掛かりになり、やはり装置コストが増大するという問題があった。因みに、シリンダライナ部とシリンダ外壁部とが一体化されたシリンダブロックのシリンダボア内周面をホーニング加工するようにしているため、ホーニング加工装置が大掛かりになるという点は、上記特許文献１及び特許文献２の各ホーニング加工技術にも指摘できるところであった。
【００１１】
本発明は、こうした事情に鑑みてなされたものである。その目的は、シリンダボアが形成されたシリンダブロック上にシリンダボアの周縁に沿うようにシリンダヘッドガスケットを介在させてシリンダヘッドをボルト締結にて組付固定した場合に、そのボルト締結に伴う荷重負荷がシリンダブロックに加わっても、シリンダボアの真円度を良好に確保することにある。また、その他には、シリンダボアの内周面全域に亘る真円度を確実に向上できること、及び簡単且つ小規模な装置構成でコスト低減に寄与できることも目的とする。
【課題を解決するための手段】
【００１２】
以下、上記目的を達成するための手段及びその作用効果について記載する。
（手段）
まず、シリンダボア内周面のホーニング加工方法に係る請求項１に記載の発明は、シリンダブロックに形成されたシリンダボアの内周面にホーニング加工を行うに際して、前記シリンダブロック上にシリンダヘッドがシリンダヘッドガスケットをシリンダボアの周縁に沿うように介在させた状態でボルト締結により組付固定された際に前記シリンダブロックの上端面に加わる荷重相当の押圧負荷をホーニング加工位置に配置した前記シリンダブロックの上端面に加えた状態とし、その状態においてシリンダボアの内周面全域を当該シリンダボアの断面形状が真円形状となるようにホーニング加工することを特徴とする。
【００１３】
また、請求項２に記載の発明は、請求項１に記載のシリンダボア内周面のホーニング加工方法において、前記ホーニング加工を行うに際しては、前記シリンダブロックにおいてシリンダボアの周壁となるシリンダライナ部の外周面を径方向内側への押圧負荷を伴って支持するようにしたことを特徴とする。
【００１４】
次に、シリンダボア内周面のホーニング加工装置に係る請求項３に記載の発明は、シリンダブロックに形成されたシリンダボアの内周面をホーニング加工するシリンダボア内周面のホーニング加工装置において、前記シリンダブロック上にシリンダヘッドがシリンダヘッドガスケットをシリンダボアの周縁に沿うように介在させた状態でボルト締結により組付固定された際に前記シリンダブロックの上端面に加わる荷重相当の押圧負荷をホーニング加工位置に配置した前記シリンダブロックの上端面に加えるための押圧負荷手段と、
前記押圧負荷手段によりシリンダブロックの上端面に前記押圧負荷が加えられた状態においてシリンダボアの内周面全域を当該シリンダボアの断面形状が真円形状となるようにホーニング加工するホーニング手段とを備えたことを特徴とする。
【００１５】
また、請求項４に記載の発明は、請求項３に記載のシリンダボア内周面のホーニング加工装置において、前記押圧負荷手段は、断面形状が前記シリンダヘッドガスケットに相当する凸形状の押圧部を有する押圧負荷部材と、当該押圧負荷部材を前記押圧部がシリンダブロックの上端面のうちシリンダボアの周縁部分に当接してシリンダブロックの上端面に前記荷重相当の押圧負荷を加えた状態に保持するための押圧負荷状態保持部材とを備えていることを特徴とする。
【００１６】
また、請求項５に記載の発明は、請求項３又は請求項４に記載のシリンダボア内周面のホーニング加工装置において、前記シリンダブロックにおいてシリンダボアの周壁となるシリンダライナ部の外周面を径方向内側への押圧負荷を伴って押圧支持するための押圧支持手段を更に備えたことを特徴とする。
【００１７】
また、請求項６に記載の発明は、請求項５に記載のシリンダボア内周面のホーニング加工装置において、前記押圧支持手段は、前記押圧負荷手段により上端面に前記押圧負荷が加えられた状態にあるシリンダブロックにおけるシリンダライナ部の外周面に対応した面形状の支持面を有する押圧支持部材と、当該押圧支持部材を前記支持面がシリンダライナ部の外周面に面接触して当該シリンダライナ部の外周面を径方向内側へ押圧支持した状態に保持するための押圧支持状態保持部材とを備えていることを特徴とする。
【００１８】
また、請求項７に記載の発明は、請求項３〜請求項６のうち何れか一項に記載のシリンダボア内周面のホーニング加工装置において、前記シリンダブロックは、シリンダヘッドを載置支持するためのアッパデッキ部が形成された内周ブロックと、当該内周ブロックが上方から挿入組み付けされるシリンダ外壁部が形成された外周ブロックとに分割されており、ホーニング加工時には、内周ブロックのみが前記ホーニング加工位置に配置されることを特徴とする。
（作用効果）
請求項１及び請求項３に記載の発明では、ホーニング加工時においてシリンダブロックには、実際にシリンダヘッドがシリンダヘッドガスケットを介在させてボルト締結により組付固定された場合に当該シリンダブロックに加わるであろう荷重に相当する押圧負荷がシリンダライナ部の上端面に加えられる。そのため、かかる押圧負荷を受けた状態にあるシリンダブロックのシリンダライナ部（及びシリンダボア）は非真円形状に変形することになる。なお、その際における変形量はシリンダヘッドガスケットを介在させた状態でのボルト締結に基づく荷重に相当する押圧負荷に対応したものであるため、実際にシリンダヘッドが組付固定された場合と同一条件下での変形量になる。
【００１９】
そして、その状態において、シリンダボアの内周面全域が当該シリンダボアの断面形状が真円形状となるようにホーニング加工され、その後、前記シリンダライナ部の上端面に加えられていた押圧負荷が解除される。すると、シリンダブロックにおけるシリンダライナ部（及びシリンダボア）が前記押圧負荷の解除に基づき復元方向へ変形する。具体的には、ホーニング加工終了時点で非真円形状になっていたシリンダライナ部の外周面は真円形状に変形し、同じくホーニング加工終了時点で真円形状にホーニング加工されたシリンダボアの内周面は非真円形状に変形する。
【００２０】
従って、その後において、前記ホーニング加工がなされたシリンダブロック上に実際にシリンダヘッドをシリンダヘッドガスケットを介在させた状態でボルト締結により組付固定した場合には、そのボルト締結に基づく荷重でシリンダライナ部（及びシリンダボア）が変形するが、そのときシリンダボアは所望どおりの真円形状に変形することになる。そのため、シリンダボアが形成されたシリンダブロック上にシリンダボアの周縁に沿うようにシリンダヘッドガスケットを介在させてシリンダヘッドをボルト締結にて組付固定した場合に、そのボルト締結に伴う荷重負荷がシリンダブロックに加わっても、シリンダボアの真円度を良好に確保することができる。
【００２１】
ところで、シリンダブロックの上端面に押圧負荷を受けて非真円形状に変形した状態にあるシリンダボアの内周面全域が真円形状にホーニング加工される際、当該シリンダボアの周壁を構成しているシリンダライナ部には径方向外側への押し付け力が作用する。そのため、この押し付け力が大きい場合には、当該押し付け力のために前記シリンダライナ部が径方向外側へ歪み変形してしまい、その歪み変形した状態は、実際にシリンダヘッドがボルト締結によりシリンダブロック上に組付固定された場合の変形状態とは異なったものになることもあり得る。この点、実際にシリンダヘッドがシリンダブロック上に組付固定された場合におけるシリンダボアの内周面全域に亘る真円度向上を考慮すると、このようなホーニング加工中におけるシリンダライナ部の径方向外側への歪み変形はないことが好ましい。
【００２２】
そこで、請求項２及び請求項５に記載の発明では、こうしたシリンダライナ部のホーニング加工中における径方向外側への歪み変形を防ぐために、シリンダライナ部の外周面が径方向内側への押圧負荷を伴って支持される。従って、シリンダブロックのシリンダボア内周面は、実際にシリンダヘッドがボルト締結によりシリンダブロック上に組付固定された場合と同じ条件の下でホーニング加工されることになり、組付後におけるシリンダボアの内周面全域に亘る真円度を確実に向上することができる。
【００２３】
また、請求項４に記載の発明では、押圧負荷手段を構成する押圧負荷部材がその凸形状の押圧部をシリンダブロックの上端面のうちシリンダボアの周縁部分に当接させた状態において、前記押圧部がシリンダライナ部の上端面に前記荷重相当の押圧負荷を加えた状態に押圧負荷状態保持手段により保持される。即ち、実際にシリンダヘッドをボルト締結によりシリンダブロック上に組付固定した場合のシリンダヘッドガスケットの面圧（荷重）に相当する面圧（押圧負荷）が前記押圧負荷部材の凸形状の押圧部からシリンダブロックの上端面に対して加えられる。そのため、こうした押圧部からの押圧負荷によりシリンダブロックにおけるシリンダライナ部及びシリンダボアは、実際にシリンダヘッドがボルト締結によりシリンダブロック上に組付固定された場合と同様の変形状態となる。従って、ホーニング加工位置に配置したシリンダブロックのシリンダボア内周面を前記押圧負荷部材及び押圧負荷状態保持部材からなる簡易構成の押圧負荷手段を備えることにより、コスト低減を図りつつ所望どおりの真円形状にホーニング加工できる。
【００２４】
また、請求項６に記載の発明では、押圧支持手段を構成する押圧支持手段がその支持面をシリンダライナ部の外周面に面接触させた状態において、前記支持面がシリンダライナ部の外周面を径方向内側へ押圧支持した状態に押圧支持状態保持部材により保持される。即ち、実際にシリンダヘッドをボルト締結によりシリンダブロック上に組付固定した場合におけるシリンダライナ部と同様の外周面形状（非真円形状の面形状）を保持するようにシリンダボア内周面をホーニング加工されているシリンダライナ部の外周面を径方向内側への押圧負荷を伴って支持する。そのため、シリンダライナ部は、たとえホーニング加工中に径方向外側への押し付け力が作用したとしても、実際にシリンダヘッドがボルト締結によりシリンダブロック上に組付固定された場合と同様の変形状態を保持する。従って、組付後におけるシリンダボアの内周面全域に亘る真円度を前記押圧支持部材及び押圧支持状態保持部材からなる簡易構成の押圧支持手段を備えることにより、コスト低減を図りつつ確実に向上することができる。
【００２５】
また、請求項７に記載の発明では、シリンダブロックが内周ブロックと外周ブロックに分割されており、ホーニング加工されるシリンダボアは内周ブロックに形成されているため、ホーニング加工位置には内周ブロックのみを配置すればよい。従って、ホーニング加工装置の規模を小さなものにでき、ホーニング加工に係る装置コストを低減できる。
【発明を実施するための最良の形態】
【００２６】
以下、本発明を水冷式エンジンの分割型シリンダブロックにおけるシリンダボア内周面のホーニング加工方法及びそのホーニング加工装置に具体化した一実施形態を図１〜図６に従って説明する。
【００２７】
まず、本実施形態におけるシリンダブロック１０について説明する。
図１（ａ）（ｂ）及び図２に示すように、シリンダブロック１０は、複数（本実施形態では４つ）のシリンダボア１１が形成された内周ブロック１２と、当該内周ブロック１２が上方から挿入組み付けされる外周ブロック１３とに分割された分割型シリンダブロックとして構成されている。内周ブロック１２を外周ブロック１３に挿入組み付けした状態では、図２に示すように、その内周ブロック１２上にシリンダヘッド１４がシリンダヘッドガスケット１５を介して載置される。その際、シリンダヘッドガスケット１５は、内周ブロック１２の上端面１２ａとシリンダヘッド１４の底面１４ａとの間にシリンダボア１１の周縁に沿うように介在される。そして、その状態において、前記シリンダヘッド１４はボルト１６によりシリンダブロック１０上に締結される。すると、シリンダボア１１の周囲に冷却水が流通するウォータージャケット１７を有してなる水冷式エンジン１８の本体部が組み立てられる。
【００２８】
前記内周ブロック１２の上部には、シリンダヘッド１４の載置部となるアッパデッキ部１９が形成されている。アッパデッキ部１９には、前記ボルト１６を挿通するためのボルト挿通孔２０が形成される他、オイル孔２１、ブローバイガス孔２２、冷却水孔２３等が形成されている。アッパデッキ部１９の下側には前記シリンダボア１１の周壁となるシリンダライナ部２４が形成されている。シリンダライナ部２４は、各気筒のシリンダライナとなる４つの円筒体を連続して繋げた形状に形成されており、それら各円筒体の外面にて形成されるシリンダライナ部２４の外周面２５は前記ウォータージャケット１７に対する内周側壁面を構成する。
【００２９】
前記外周ブロック１３の下部には、側面視略スカート形状をなすクランクケース部２８が形成されている。クランクケース部２８の上側には、前記内周ブロック１２のシリンダライナ部２４が上方から挿入組み付けされるシリンダ外壁部２９が形成されている。シリンダ外壁部２９の内周面３０は、当該内周面３０が対向する前記シリンダライナ部２４の外周面２５に対応した略環状をなすように形成されており、前記ウォータージャケット１７に対する外周側壁面を構成する。また、シリンダ外壁部２９にはウォータージャケット１７に連通する冷却水口２９ａが側面に形成される他、図示は省略するが、内周ブロック１２のアッパデッキ部１９に形成された前記ボルト挿通孔２０、オイル孔２１、ブローバイガス孔２２と各々対応する位置に、ボルト締結穴、オイル通路、ブローバイガス通路が形成されている。
【００３０】
次に、本実施形態におけるホーニング加工装置３１について説明する。
図３及び図４に示すように、ホーニング加工装置３１は、長矩形状をなすベース３２を備えており、ベース３２上には内周ブロック１２を載置可能な左右一対の台座３３が他のベース３２上面部分よりも嵩高となるように形成されている。台座３３は、その上面がホーニング加工位置とされるものであり、左右両台座３３の各外側面間の幅寸法（図３，図４において左右方向の外側面間寸法）は、シリンダライナ部２４の外周面２５の直径より小さく形成されている。即ち、この台座（ホーニング加工位置）３３上にシリンダライナ部２４が載置状態で配置された際、シリンダライナ部２４は、その外周面２５の近傍部分が台座３３の縁角部よりも外側へ少し張り出した状態となる。
【００３１】
また、前記ベース３２上において、台座３３を挟んで互いに対向する各位置には、押圧支持手段として機能する油圧シリンダ３４が配設されている。油圧シリンダ３４は、図示しない油圧源から配管３５を介して作動油が供給されるシリンダ本体３６を備えており、シリンダ本体３６には前記台座３３の側面との間にコイルスプリング３７を介在させたピストン３８が軸方向移動可能に設けられている。即ち、前記配管３５から作動油がシリンダ本体３６内に供給されると、ピストン３８がコイルスプリング３７の付勢力に抗して台座３３の方向へ前進し、当該台座３３上に載置されているシリンダライナ部２４の外周面２５を径方向内側への押圧負荷を伴って押圧支持するようになっている。
【００３２】
前記ピストン３８は、シリンダライナ部２４の外周面２５に沿うように平面視略円弧状をなす支持部３９を前端側に有しており、当該支持部３９の前面で構成される支持面４０はシリンダライナ部２４（シリンダボア１１）が真円形状から非真円形状に変形した場合の当該シリンダライナ部２４の外周面２５に対応した面形状に形成されている。具体的には、シリンダブロック１０上にシリンダヘッド１４が実際にシリンダヘッドガスケット１５を介在させた状態でボルト１６の締結力により組付固定された場合において当該ボルト締結に基づく荷重を受けて変形した状態にあるシリンダライナ部２４の外周面２５と対応する面形状に形成されている（図５（ａ）参照）。そして、本実施形態では、前記シリンダライナ部２４の外周面２５に面接触可能な支持面４０を有するピストン３８が押圧支持部材として機能すると共に、シリンダ本体３６と当該シリンダ本体３６に作動油を供給する配管３５とが押圧支持状態保持部材として機能する構成とされている。
【００３３】
また、ホーニング加工装置３１は、内周ブロック１２の上端面１２ａに載置可能に形成されたダミーヘッド４１を備えている。このダミーヘッド４１は、図４に断面図示されているシリンダライナ部２４と略対応した形状をなす周壁部４２と、当該周壁部４２の下部から径方向外側へ一体形成されたフランジ部４３とを備えている。周壁部４２の内周側には内周ブロック１２のシリンダボア１１と略同径の工具挿通孔４４が形成されると共に、フランジ部４３には内周ブロック１２側のアッパデッキ部１９に形成されたボルト挿通孔２０と対応する位置に同様のボルト挿通孔４５が形成されている。
【００３４】
また、前記ダミーヘッド４１において内周ブロック１２の上端面１２ａと対面することになる底面４１ａには、断面形状がシリンダヘッドガスケット１５に相当する凸形状の押圧部４６が形成されている。即ち、ダミーヘッド４１は、フランジ部４３のボルト挿通孔４５を内周ブロック１２側のアッパデッキ部１９のボルト挿通孔２０に位置合せした状態で内周ブロック１２の上端面１２ａ上に載置された場合、前記押圧部４６がシリンダボア１１の周縁部分に当接するように構成されている。そして、その状態において、図３に示すように、両ボルト挿通孔２０，４５に挿通されたボルト１６がナット４７により締付けされると、そのボルト締結によって内周ブロック１２（シリンダブロック１０）の上端面１２ａには前記押圧部４６からシリンダライナ部２４（及びシリンダボア１１）を真円形状から非真円形状に変形させ得る押圧負荷が加えられるようになっている。従って、本実施形態では、前記凸形状の押圧部４６を有するダミーヘッド４１が押圧負荷部材として機能すると共に、このダミーヘッド４１を押圧部４６がシリンダボア１１の周縁部分に当接した状態において内周ブロック１２にボルト締結するボルト１６とナット４７とが押圧負荷状態保持手段として機能する構成とされている。そして、これらダミーヘッド４１とボルト１６及びナット４７により押圧負荷手段が構成されている。
【００３５】
さらに、本実施形態のホーニング加工装置３１は、前記工具挿通孔４４内を上下方向へ移動自在な回転軸４８を備えており、回転軸４８の下端部には砥石４９を外周面に環状に配置したホーニングヘッド５０が設けられている。本実施形態では、前記回転軸４８と砥石４９及びホーニングヘッド５０によりホーニング手段が構成されている。そして、図示しない駆動源からの回転駆動力に基づき回転軸４８が回転することにより、前記台座３３上のホーニング加工位置に配置された内周ブロック１２におけるシリンダボア１１の内周面１１ａが真円形状にホーニング加工されるようになっている。
【００３６】
そこで次に、上記のように構成されたホーニング加工装置３１を使用して内周ブロック１２のシリンダボア１１の内周面１１ａをホーニング加工する方法、及びその際の作用について説明する。
【００３７】
さて、上記のホーニング加工を行う際には、図３に示すように、まず内周ブロック１２が台座３３上（ホーニング加工位置）にシリンダライナ部２４の下端面を当接させた状態に配置される。なお、その際、油圧シリンダ３４のピストン３８はコイルスプリング３７の付勢力によりシリンダ本体３６内に後退した位置状態にある。次に、内周ブロック１２のアッパデッキ部１９上（即ち、内周ブロック１２の上端面１２ａ上）にダミーヘッド４１が押圧部４６をシリンダボア１１の周縁部分に当接させた状態で載置される。そして、ダミーヘッド４１におけるフランジ部４３のボルト挿通孔４５と内周ブロック１２におけるアッパデッキ部１９のボルト挿通孔２０にボルト１６が挿通され、そのボルト１６の下端部にナット４７が螺着される。即ち、このナット４７の螺着に基づきダミーヘッド４１が内周ブロック１２上にボルト締結にて組付固定される。
【００３８】
すると、このボルト締結に伴い内周ブロック１２の上端面１２ａには、実際にシリンダヘッド１４をシリンダヘッドガスケット１５を介在させてボルト締結された場合に加わる荷重相当の押圧負荷がダミーヘッド４１側から加えられる。そのため、内周ブロック１２は、その押圧負荷を受けてシリンダライナ部２４（及びシリンダボア１１）が真円形状から非真円形状に変形する。そして、その状態において、油圧シリンダ３４のシリンダ本体３６内に配管３５を介して作動油が供給されると、その油圧を受けてピストン３８が前進し、その支持面４０がシリンダライナ部２４の下端部の外周面２５を押圧する。即ち、非真円形状に変形したシリンダライナ部２４の外周面２５にピストン３８の支持面４０が面接触し、シリンダライナ部２４の外周面２５を径方向内側へ押圧支持した状態となる（図５（ａ）参照）。そのため、前記シリンダライナ部２４の外周面２５に押圧支持状態にて面接触することになるピストン３８の支持面４０は、その押圧面性状（プロフィール）が平面視において真円形状に沿う円弧の面性状ではなく非真円形状に沿う非円弧の面性状に予めプロフィール加工されている。
【００３９】
そして次に、その状態においてシリンダボア１１の内周面１１ａが回転軸４８の回転駆動に基づきホーニングヘッド５０に設けられた砥石４９により真円形状にホーニング加工される（図５（ｂ）参照）。その際、砥石４９からシリンダライナ部２４に対し径方向外側への押し付け力が作用するが、シリンダライナ部２４の外周面２５はピストン３８の支持面４０が面接触して径方向内側へ押圧支持しているため、シリンダライナ部２４がホーニング加工中に径方向外側へ前記押し付け力を受けて歪み変形することはない。そして、シリンダボア１１の内周面１１ａ全域が砥石４９により真円形状にホーニング加工されると、油圧シリンダ３４においてシリンダ本体３６への作動油供給が停止される。
【００４０】
すると、ピストン３８がコイルスプリング３７の付勢力でシリンダ本体３６側へ後退移動させられ、ピストン３８の支持面４０がシリンダライナ部２４の外周面２５から離間する。また、それと平行して、ダミーヘッド４１を内周ブロック１２の上端面１２ａに組付固定していたボルト１６がそのボルト締結状態を解除される。すると、そのボルト締結状態の解除に伴い、内周ブロック１２のシリンダライナ部２４（及びシリンダボア１１）が元の形状に復元するように変形する。即ち、図６（ａ）に示すように、ダミーヘッド４１からの押圧負荷を受けて径方向内側へ変形していた部分は径方向外側へ変形し、その逆に径方向外側へ変形していた部分は径方向内側へ変形する。従って、真円形状にホーニング加工されたシリンダボア１１の内周面１１ａは断面形状が非真円形状に変形する。
【００４１】
そして、このようにホーニング加工がなされた後の内周ブロック１２を外周ブロック１３に挿入組付けした状態において、その内周ブロック１２の上端面１２ａにシリンダヘッド１４がシリンダヘッドガスケット１５を介在させた状態でボルト締結により組付固定される。すると、その際のボルト締結による荷重が内周ブロック１２の上端面１２ａにシリンダヘッドガスケット１５を介在させたことによる面圧を加味した状態で加わり、内周ブロック１２のシリンダライナ部２４（及びシリンダボア１１）を変形させる。即ち、図６（ｂ）に実線で示すように、復元により非真円形状になっていたシリンダボア１１の内周面１１ａは、実際のシリンダヘッド１４の組付固定に伴う荷重により、図６（ｂ）に二点鎖線で示すように真円形状に変形する。従って、シリンダヘッド１４の組付固定状態においてシリンダボア１１の真円度が確保される。
【００４２】
上記実施形態のホーニング加工装置３１を使用したシリンダボア１１の内周面１１ａのホーニング加工方法によれば、以下のような効果を得ることができる。
（１）シリンダヘッドガスケット１５を介在させた実際上のシリンダヘッド１４の組付固定時におけるボルト締結での荷重に相当する押圧負荷を押圧部４６が形成されたダミーヘッド４１の組付固定により内周ブロック１２に加えた状態でシリンダボア１１の内周面１１ａをホーニング加工するようにした。即ち、実際上のシリンダヘッド１４の組付固定時と同一条件の下でシリンダボア１１の内周面１１ａが真円形状にホーニング加工されるようにした。従って、ホーニング加工された後の内周ブロック１２の上端面１２ａにシリンダヘッド１４をシリンダヘッドガスケット１５を介在させた状態でボルト締結により組付固定した際におけるシリンダボア１１の真円度を良好に確保することができる。
【００４３】
（２）また、ホーニング加工時には、径方向外側へ歪み変形し易いシリンダライナ部２４の外周面２５がピストン３８の支持面４０により面接触状態で径方向内側へ押圧支持される。そのため、無用な歪み変形のない状態に保持されたシリンダライナ部２４（及びシリンダボア１１）に対しホーニング加工がなされるようになり、シリンダボア１１の内周面１１ａを真円形状にホーニング加工する場合の加工精度が良好に確保される。従って、実際にシリンダヘッド１４を組付固定した場合において、シリンダボア１１の内周面１１ａ全域に亘る真円度を確実に向上することができる。
【００４４】
（３）また、ホーニング加工時に内周ブロック１２の上端面１２ａに対して実際のシリンダヘッド１４のボルト締結時における荷重相当の押圧負荷を加えるための構成が、断面形状がシリンダヘッドガスケット１５に相当する押圧部４６を有するダミーヘッド４１等で構成された簡易なものとされている。従って、ホーニング加工装置３１及びホーニング加工作業に関わるコスト低減を図りつつ、シリンダボア１１の内周面１１ａを所望通りに真円形状にホーニング加工することができる。
【００４５】
（４）また、シリンダボア１１の内周面１１ａを真円形状にホーニング加工する場合の加工精度向上のための構成が、ボルト締結荷重（＝押圧負荷）を受けて非真円形状に変形した状態にあるシリンダライナ部２４の外周面に対応した面形状の支持面４０を有するピストン３８等で構成された簡易なものとされている。従って、ホーニング加工装置３１及びホーニング加工作業に関わるコスト低減を図りつつ、シリンダボア１１の内周面１１ａ全域に亘る真円度を確実に向上することができる。
【００４６】
（５）また、シリンダボア１１の内周面１１ａをホーニング加工する際には、ホーニング加工位置とされる台座３３上に内周ブロック１２のみを配置すればよいため、装置構成を小型化・小規模にすることができ、ホーニング加工に係る装置コストを低減できる。
【００４７】
（６）加えて、押圧負荷部材となるダミーヘッド４１は、内周ブロック１２の上端面１２ａに押圧部４６を当接させた状態で下方へ押圧負荷をかける構成であるため、オープンデッキ構造及びクローズデッキ構造のいずれのタイプのシリンダブロックにも適用することができる。
【００４８】
なお、上記実施形態は以下のように別の実施形態（別例）に変更してもよい。
・  上記実施形態では、ウォータージャケット１７が内周ブロック１２のアッパデッキ部１９により上面側を閉塞された所謂クローズデッキ構造のシリンダブロック１０におけるシリンダボア１１の内周面１１ａをホーニング加工していた。しかし、内周ブロック１２のシリンダライナ部２４の下端部が外周ブロック１３のシリンダ外壁部２９の下端部と一体結合されたシリンダブロックであってオープンデッキ構造のシリンダブロックにおけるシリンダボアの内周面をホーニング加工するものであってもよい。その場合には、シリンダボアの周壁を構成するシリンダライナ部の上端面にダミーヘッド４１の押圧部４６が当接させられた状態において押圧負荷が加えられ、ピストン３８によるシリンダライナ部の外周面に対する径方向内側への押圧支持は行われない。
【００４９】
・  上記実施形態においてシリンダライナ部２４の外周面２５を径方向内側へ押圧支持するピストン３８（及び油圧シリンダ３４）の個数は、必要に応じて任意の個数に設計変更することが可能である。
【００５０】
・  上記実施形態において、押圧支持手段として機能する油圧シリンダ３４は必ずしも設けられていなくてよい。また、油圧シリンダ３４に置換して空圧シリンダ等の他の流体圧シリンダにより押圧支持手段を構成してもよい。
【００５１】
・  上記実施形態では、押圧負荷部材とされるダミーヘッド４１は、その押圧部４６を介して内周ブロック１２の上端面１２ａに実際のボルト締結時の荷重に相当する押圧負荷を加えられるものならば、必ずしもボルト１６とナット４７とからなる押圧負荷状態保持部材を使用したボルト締結により内周ブロック１２に組付固定されなくてよい。例えば、押圧部４６を内周ブロック１２の上端面１２ａに当接させた状態において、ダミーヘッド４１を上方から下方へプレス装置で押圧するようにしてもよい。
【００５２】
・  上記実施形態において、押圧負荷手段の構成を、ダミーヘッド４１とボルト１６及びナット４７からなる構成に置換して、前記押圧部４６に相当する凸部を有するクランプ部材により構成し、このクランプ部材が内周ブロック１２のアッパデッキ部１９をクランプした際に押圧部４６がシリンダボア１１の周縁部分に当接するようにしてもよい。
【図面の簡単な説明】
【００５３】
【図１】（ａ）は分割型シリンダブロックの斜視図、（ｂ）はその正面図。
【図２】図１（ｂ）のＡ−Ａ線矢視断面図。
【図３】ホーニング加工装置の概略断面説明図。
【図４】図３のＢ−Ｂ線矢視一部断面図。
【図５】（ａ）はホーニング加工開始前のシリンダボア内周面の断面形状を説明する断面図、（ｂ）はホーニング加工終了時点のシリンダボア内周面の断面形状を説明する断面図。
【図６】（ａ）は押圧負荷状態及び押圧支持状態の解除後におけるシリンダボア内周面の断面形状を説明する断面図、（ｂ）はシリンダヘッドの組付固定に伴うシリンダボアの変形状態を説明する平面図。
【符号の説明】
【００５４】
１０…分割型シリンダブロック、１１…シリンダボア、１１ａ…シリンダボアの内周面、１２…内周ブロック、１２ａ…上端面、１３…外周ブロック、１４…シリンダヘッド、１５…シリンダヘッドガスケット、１６…ボルト（押圧負荷状態保持部材）、１９…アッパデッキ部、２４…シリンダライナ部、２５…シリンダライナ部の外周面、２９…シリンダ外壁部、３１…ホーニング加工装置、３４…油圧シリンダ（押圧支持手段）、３５…配管（押圧支持状態保持部材）、３６…シリンダ本体（押圧支持状態保持部材）、３８…ピストン（押圧支持部材）、４０…支持面、４１…ダミーヘッド（押圧負荷手段、押圧負荷部材）、４６…押圧部、４７…ナット（押圧負荷状態保持部材）。
【図１】
2005199378.tif 000003
【図２】
2005199378.tif 000004
【図３】
2005199378.tif 000005
【図４】
2005199378.tif 000006
【図５】
2005199378.tif 000007
【図６】
2005199378.tif 000008